(57)【要約】【課題】高画質で小型の撮像機能を安価に実現することができるようにする。【解決手段】レンズ枠１０４は、カム筒１０５の回動に伴って光軸１４１方向に所定の範囲だけ移動第１レンズ１０１、および第２レンズ１０２を介して撮像素子１０７に入射する光軸１４１を中心とする光束の焦点位置が調節され、レンズ枠１０４は、光軸１４１方向のどの位置においても、常に弾性部材１１１によって台座１０６側から上側に向かって付勢される。弾性部材１１１により撮像素子１０７と第２レンズ１０２との間の空間１３１が密閉され、塵などが空間１３１に侵入して被写体光束が遮られることが抑止される。【選択図】図４
2007274542.tif 000002
【特許請求の範囲】
【請求項１】
レンズにより入射する光に対応する像の焦点位置を調節する撮像光光学系と、
前記撮像光学系に入射する光の光軸方向に移動可能に設けられ、前記撮像光学系の周囲を覆って固定する枠部と、
前記枠部を、光軸方向に予め設定された範囲内の任意の位置に移動させる駆動部と、
前記撮像光学系を介して入射してくる光を受光し、受光した光に対応する信号を出力する撮像素子と、
前記撮像素子が取り付けられた台座と、枠部との間に挿入され、前記枠部を、光軸方向であって、前記撮像素子から遠い方向に付勢する付勢手段と
を備える撮像装置。
【請求項２】
前記付勢手段は、所定の弾力を有する弾性部材で構成される
請求項１に記載の撮像装置。
【請求項３】
前記弾性部材は、環状のゴムにより構成される
請求項３に記載の撮像装置。
【請求項４】
前記ゴムの内部にバネを有する
請求項３に記載の撮像装置。
【請求項５】
前記弾性部材は、環状の発砲ゴムにより構成される
請求項２に記載の撮像装置。
【請求項６】
前記付勢手段は、前記台座において前記撮像素子が取り付けられた面と、前記枠部の撮像素子側の端面との間に挿入される
請求項１に記載の撮像装置。
【請求項７】
前記枠部の一部において前記枠の径が小さくなる形状とされ、
前記枠の一部が、前記台座の一部に挿入され、
前記枠部の一部の面と、前記台座に設けられた傾斜面との間に前記付勢手段が挿入される
請求項１に記載の撮像装置。
【請求項８】
撮像装置を内蔵する携帯電話機であって、
前記撮像装置が、
レンズにより入射する光に対応する像の焦点位置を調節する撮像光光学系と、
前記撮像光学系に入射する光の光軸方向に移動可能に設けられ、前記撮像光学系の周囲を覆って固定する枠部と、
前記枠部を、光軸方向に予め設定された範囲内の任意の位置に移動させる駆動部と、
前記撮像光学系を介して入射してくる光を受光し、受光した光に対応する信号を出力する撮像素子と
前記撮像素子が取り付けられた台座と、枠部との間に挿入され、前記枠部を、光軸方向であって、前記撮像素子から遠い方向に付勢する付勢手段とを備える
携帯電話機。
【発明の詳細な説明】
【技術分野】
【０００１】
本発明は、撮像装置および携帯電話機に関し、特に、高画質で小型の撮像機能を安価に実現することができるようにする撮像装置および携帯電話機に関する。
【背景技術】
【０００２】
近年、小型で薄型の撮像装置が普及しており、これらの撮像装置が、例えば、携帯電話機、PDA（Personal Digital Assistant）等の小型で携帯可能な電子機器に搭載されるようになってきている。このような撮像装置を有する携帯可能な電子機器の普及により、音声情報だけでなく画像情報も簡単に伝送することが可能となっている。
【０００３】
このように、小型の携帯可能な電子機器などに内蔵される撮像装置は、小型であるがために撮像光学系の焦点距離が非常に短くなり、また、シャッタ速度をより速くして手ぶれなどを防ぐことができるように開口F値が２〜４程度に設定されているものが多いので、像側の焦点深度は非常に浅くなり、撮像面に対する撮像光学系の光軸方向の位置決めにおいて厳しい精度が要求される。
【０００４】
また、撮像装置の中で光電変換を行う撮像素子の受光部に配置される素子の各々は数μｍピッチで配置されており、撮像素子上の微小な物体（例えば、塵）などであっても、被写体光束を遮ってしまい、被写体画像の撮像に支障をきたすことになるため、撮像装置の防塵対策なども重要になる。
【０００５】
このような状況にあって、撮像装置の撮像光学系の位置設定方法と防塵方法に関して提案がなされている。例えば、撮像装置の製造時のピント調整を不要とすべく光学部材と一体で形成された脚部を撮像素子に当接させ、コイルばねなどの弾性部材で光学部材を撮像素子方向に付勢することにより撮像素子と光学部材の光軸方法の位置決めをおこないつつ、防塵対策を施したものが開示されている(例えば、特許文献１参照)。
【特許文献１】特開２００３−３７７５８号公報
【発明の開示】
【発明が解決しようとする課題】
【０００６】
しかしながら、撮像装置を有する携帯電話機などが今後さらに普及するのに伴って、撮像装置により撮像される画像の高画質化ニーズが高まってくるものと予想され、例えば、より画素数の多い撮像素子を有する撮像装置が要望されている。従って、高画質化をめざした撮像素子の高画素数化により画素ピッチがさらに小さくなり、撮像素子の受光面に付着した塵などの許容できる大きさは極めて小さくなる。すなわち、もはや肉眼では視認できないほど小さな塵が付着しても被写体光束が遮られて画像データに影響を与えることになる。
【０００７】
特許文献１の技術では、微振動等が長時間かかる場合や、落下時の衝撃等で、光学部材の脚部と鏡枠の隔壁の接触による磨耗や、脚部と撮像素子の当接からの磨耗による塵（例えば、微小な金属片など）が発生し、撮像素子上面に付着する場合がある。
【０００８】
また、ズームや近接撮影を行うため撮像光学系を移動させる場合、撮像光学系を移動させるための操作部材や駆動部材と撮像光学系との機械的連結が必要であり、この連結部から外部の塵が侵入し、やはり画像データに影響を与えることもある。
【０００９】
さらに、光学部材を付勢するコイルばねなどの隙間から塵が侵入する可能性もある。
【００１０】
本発明はこのような状況に鑑みてなされたものであり、高画質で小型の撮像機能を安価に実現することができるようにするものである。
【課題を解決するための手段】
【００１１】
本発明の第１の側面は、レンズにより入射する光に対応する像の焦点位置を調節する撮像光光学系と、前記撮像光学系に入射する光の光軸方向に移動可能に設けられ、前記撮像光学系の周囲を覆って固定する枠部と、前記枠部を、光軸方向に予め設定された範囲内の任意の位置に移動させる駆動部と、前記撮像光学系を介して入射してくる光を受光し、受光した光に対応する信号を出力する撮像素子と、前記撮像素子が取り付けられた台座と、枠部との間に挿入され、前記枠部を、光軸方向であって、前記撮像素子から遠い方向に付勢する付勢手段とを備える撮像装置である。
【００１２】
前記付勢手段は、所定の弾力を有する弾性部材で構成されるようにすることができる。
【００１３】
前記弾性部材は、環状のゴムにより構成されるようにすることができる。
【００１４】
前記ゴムの内部にバネを有するようにすることができる。
【００１５】
前記弾性部材は、環状の発砲ゴムにより構成されるようにすることができる。
【００１６】
前記付勢手段は、前記台座において前記撮像素子が取り付けられた面と、前記枠部の撮像素子側の端面との間に挿入されるようにすることができる。
【００１７】
前記枠部の一部において前記枠の径が小さくなる形状とされ、前記枠の一部が、前記台座の一部に挿入され、前記枠部の一部の面と、前記台座に設けられた傾斜面との間に前記付勢手段が挿入されるようにすることができる。
【００１８】
本発明の第１の側面においては、駆動部により、レンズにより入射する光に対応する像の焦点位置を調節する撮像光光学系に入射する光の光軸方向に移動可能に設けられ、前記撮像光学系の周囲を覆って固定する枠部が、光軸方向に予め設定された範囲内の任意の位置に移動させられる。また、付勢手段が、前記撮像光学系を介して入射してくる光を受光し、受光した光に対応する信号を出力する撮像素子が取り付けられた台座と、枠部との間に挿入され、前記枠部を、光軸方向であって、前記撮像素子から遠い方向に付勢する。
【００１９】
本発明の第２の側面は、撮像装置を内蔵する携帯電話機であって、前記撮像装置が、レンズにより入射する光に対応する像の焦点位置を調節する撮像光光学系と、前記撮像光学系に入射する光の光軸方向に移動可能に設けられ、前記撮像光学系の周囲を覆って固定する枠部と、前記枠部を、光軸方向に予め設定された範囲内の任意の位置に移動させる駆動部と、前記撮像光学系を介して入射してくる光を受光し、受光した光に対応する信号を出力する撮像素子と、前記撮像素子が取り付けられた台座と、枠部との間に挿入され、前記枠部を、光軸方向であって、前記撮像素子から遠い方向に付勢する付勢手段とを備える携帯電話機である。
【００２０】
本発明の第２の側面においては、携帯電話機に内蔵される撮像装置が、レンズにより入射する光に対応する像の焦点位置を調節する撮像光光学系と、前記撮像光学系に入射する光の光軸方向に移動可能に設けられ、前記撮像光学系の周囲を覆って固定する枠部と、前記枠部を、光軸方向に予め設定された範囲内の任意の位置に移動させる駆動部と、前記撮像光学系を介して入射してくる光を受光し、受光した光に対応する信号を出力する撮像素子とを備え、前記撮像素子が取り付けられた台座と、枠部との間に挿入された付勢手段により、前記枠部が、光軸方向であって、前記撮像素子から遠い方向に付勢される。
【発明の効果】
【００２１】
本発明によれば、高画質で小型の撮像装置を安価に実現することができる。
【発明を実施するための最良の形態】
【００２２】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本発明の第１の側面の撮像装置は、レンズ（例えば、図４の第１レンズ１０１および第２レンズ１０２）により入射する光に対応する像の焦点位置を調節する撮像光光学系と、前記撮像光学系に入射する光の光軸方向に移動可能に設けられ、前記撮像光学系の周囲を覆って固定する枠部（例えば、図４のレンズ枠１０４）と、前記枠部を、光軸方向に予め設定された範囲内の任意の位置に移動させる駆動部（例えば、図４のカム筒１０５）と、前記撮像光学系を介して入射してくる光を受光し、受光した光に対応する信号を出力する撮像素子（例えば、図４の撮像素子１０７）と、前記撮像素子が取り付けられた台座（例えば、図４の台座１０６）と、枠部との間に挿入され、前記枠部を、光軸方向であって、前記撮像素子から遠い方向に付勢する付勢手段（例えば、図４の弾性部材１１１）とを備える。
【００２４】
この撮像装置は、前記枠部の一部において前記枠の径が小さくなる形状とされ、前記枠の一部が、前記台座の一部に挿入され、前記枠部の一部の面（（例えば、図８の面１０４ｇ）と、前記台座に設けられた傾斜面（例えば、図８の面１０６ｇ）との間に前記付勢手段が挿入されるようにすることができる。
【００２５】
本発明の第２の側面の携帯電話機は、撮像装置を内蔵する携帯電話機（例えば、図１０の携帯電話機２００）であって、前記撮像装置が、レンズ（例えば、図４の第１レンズ１０１および第２レンズ１０２）により入射する光に対応する像の焦点位置を調節する撮像光光学系と、前記撮像光学系に入射する光の光軸方向に移動可能に設けられ、前記撮像光学系の周囲を覆って固定する枠部（例えば、図４のレンズ枠１０４）と、前記枠部を、光軸方向に予め設定された範囲内の任意の位置に移動させる駆動部（例えば、図４のカム筒１０５）と、前記撮像光学系を介して入射してくる光を受光し、受光した光に対応する信号を出力する撮像素子（例えば、図４の撮像素子１０７）と、前記撮像素子が取り付けられた台座（例えば、図４の台座１０６）と、枠部との間に挿入され、前記枠部を、光軸方向であって、前記撮像素子から遠い方向に付勢する付勢手段（例えば、図４の弾性部材１１１）とを備える。
【００２６】
以下、図面を参照して、本発明の実施の形態について説明する。
【００２７】
図１は、本発明を適用した撮像装置の一実施形態における外観の例を示す斜視図である。
【００２８】
同図の撮像装置１００は、例えば、携帯電話機、PDA（Personal Digital Assistant）等の小型で携帯可能な電子機器に搭載可能となるよう充分小型に構成されており、ＣＣＤ（Charge Coupled Device）イメージセンサ、C-MOS（Complementary Metal-Oxide Semiconductor）イメージセンサなどを含む、光電変換を行う光電変換素子を２次元に配置した撮像素子を内部に有し、撮像素子の受光面で受光した光に対応する信号であって、撮像された画像に対応する信号を出力するように構成されている。
【００２９】
撮像素子は、台座１０６の下部に設けられ、第１レンズ１０１、および第２レンズ（ここには図示されていない）を介した光が撮像素子の受光部に入射するように構成されている。
【００３０】
第1レンズ１０１および第２レンズは円筒形のレンズ枠１０４に固定されており、レンズ枠１０４が、円筒形の台座１０６の一部の内部に挿入される構成とされ、台座１０６の一部の形状に沿ってレンズ枠１０４が図中上下に移動可能となるように構成されている。また、レンズ枠１０４の外周を覆うように、やはり円筒形に構成されたカム筒１０５が設けられている。カム筒１０５は、第１レンズ１０１に入射する光の光軸を中心として回動可能となるように構成されており、例えば、レバー１０５ｄをユーザが矢印１２１の方向に動かすことにより、カム筒１０５が回動させられる。
【００３１】
カム筒１０５には、カム孔１０５ａ、カム孔１０５ａと同様の形状の１０５ｂ、および図中裏側に位置する部分に同様の形状のカム孔１０５ｃが設けられている。カム孔１０５ａ乃至１０５ｃは、カム筒１０５の上側または下側の端面から一定の位置に固定された直線上の孔ではなく、それぞれの孔の上下の面が、例えば、孔の右端においては、台座１０６に近い位置となり、左端においては台座１０６から遠い位置となるように設けられている。
【００３２】
レンズ枠１０４には、上述したカム孔１０５ａ乃至１０５ｃに挿入されるピン１０４ａ乃至１０４ｃ（ピン１０４ｂと１０４ｃはここでは図示されていない）がそれぞれ設けられており、上述したようにカム筒１０５を回動させる場合、ピン１０４ａ乃至１０４ｃと、カム孔１０５ａ乃至１０５ｃのそれぞれの上下の面とが当接した状態でカム筒１０５が回動させられる。
【００３３】
図２は、図１の撮像装置１００の構成を示す斜視図である。
【００３４】
同図に示されるように、レンズ枠１０４が、台座１０６における円筒形の固定部１０６ｄの内部に挿入される構成とされ、レンズ枠１０４のピン１０４ａ乃至１０４ｃのそれぞれの位置が、台座１０６の切り込み部１０６ａ乃至１０６ｂのそれぞれと同じ位置になるように挿入される。したがって、撮像装置１００においては、台座１０６の固定部１０６ｄの内部において、切り込み部１０６ａ乃至１０６ｂのそれぞれと、ピン１０４ａ乃至１０４ｃのそれぞれとが当接した状態でレンズ枠１０４が、光軸１４１方向に移動可能となるように構成される。なお、同図においては、便宜上、第１レンズ１０１がレンズ枠１０４から取り外された状態として記載されている。
【００３５】
また、レンズ枠１０４が挿入された台座１０６の固定部１０６ｄのさらに外周にカム筒１０５が装着される。このとき上述したように、カム孔１０５ａ乃至１０５ｃのそれぞれに、レンズ枠１０４のピン１０４ａ乃至１０４ｃのそれぞれが挿入されて装着される。カム筒１０５は、裏面１０５ｅが台座の面１０６ｅに当接した状態となるように光軸１４１方向の位置が固定され、さらに、上述したように、レバー１０５ｄをユーザが動かすことにより、光軸１４１を中心として回動させられる構成とされる。
【００３６】
従って、カム筒１０５を回動させると、ピン１０４ａ乃至１０４ｃのそれぞれの位置が、カム孔１０５ａ乃至１０５ｃの形状に従って台座１０６に近い位置または台座１０６から遠い位置に移動させられるので、カム筒１０５を回動させることでレンズ枠１０４を第１レンズ１０１および第２レンズとともに、光軸１４１方向に移動させることが可能となる。
【００３７】
すなわち、撮像装置１００は、レバー１０５ｄを操作することでレンズを介して入射する光の焦点位置を調節することが可能となるように構成されている。
【００３８】
図３は、図１の撮像装置１００を別の角度からみた図であり、同図においても上述した台座１０６、カム筒１０５、レンズ枠１０４が示されている。なお、便宜上同図においては第１レンズ１０１がレンズ枠１０４から取り外された状態として示されている。
【００３９】
図４は、図３の撮像装置１００を、面Ａで切った場合の断面図である。
【００４０】
同図においては、台座１０６の底部１０６ｆに撮像素子１０７が接着されて固定された構成とされている。撮像素子１０７は、例えば、ＣＣＤ、C-MOSなどの光電変換素子が２次元に多数配置されて構成される。例えば、撮像素子１０７は、高画素数の画像を撮像可能な撮像素子とされ、撮像素子１０７において配置されたそれぞれの光電変換素子の間隔は、微細なものとされる。また、図中上側が撮像素子１０７の受光面とされ、受光面のほぼ中心が光軸１４１と交わるように、撮像素子１０７が配置される。
【００４１】
絞り１０３は、例えば、第２レンズ１０２に入射する光束の直径を最適に調節するように取り付けられている。撮像装置１００においては、レンズ枠１０４に取り付けられた第１レンズ１０１と第２レンズ１０２とにより入射する光の像の焦点位置が調節されることになる。
【００４２】
撮像装置１００は、上述したように携帯電話機など小型の携帯可能な電子機器に内蔵されることを想定し、充分小型に構成されているために、第１レンズ１０１、および第２レンズ１０２からなる撮像光学系の焦点距離が非常に短く設定されている。また、撮像装置１００は、例えば、シャッタ速度をより速くして手ぶれなどを防ぐことが可能となるように開口F値が２〜４程度に設定されており、像側の焦点深度は非常に浅く設定されている。従って、撮像素子１０７の受光部（第２レンズ１０２側の面）に対する撮像光学系の光軸方向の位置決めにおいて厳しい精度が要求される。
【００４３】
撮像装置１００は、上述したように、カム筒１０５が回動されることによってレンズ枠１０４が光軸１４１方向に移動した場合、レンズ枠１０４に固定された第１レンズ１０１および第２レンズ１０２も移動させられる構成とされているので、撮像装置１００においては、レンズ枠１０４の光軸１４１方向の移動により撮像素子１０７の受光部（第２レンズ１０２側の面）に対する撮像光学系の光軸方向の位置決めがなされることになる。従って、撮像装置１００により画像を撮像する場合、レンズ枠１０４は、第レンズ１０１と第２レンズ１０２を介して入射する光の像が適切な焦点位置となるように、光軸方向に微小な距離だけ移動させることが可能であるとともに、適切な焦点位置に対応する位置において確実に固定される必要がある。
【００４４】
そこで、本発明の撮像装置１００においては、レンズ枠１０４と、台座１０６の間に弾性部材１１１が挿入されている。この例では、断面が「凹」の字型とされた弾性部材１１１が挿入されている。弾性部材１１１は、例えば、ゴム、スポンジ、モルトプレンなどの発砲ゴム、バネが挿入されたゴムなど所定の弾力を有する材料により構成され、レンズ枠とほぼ同等の径を有する環状に構成されて、上述した台座１０６の固定部１０６ｅの内部においてレンズ枠１０４側の面１０６ｅ上に固定される。
【００４５】
これにより、レンズ枠１０４は、光軸方向のどの位置においても、常に弾性部材１１１によって図中下側（台座１０６側）から図中上側に向かって付勢されることになる。なお、レンズ枠１０４は、ピン１０４ａ乃至１０４ｃのそれぞれが、カム孔１０５ａ乃至１０５ｃのそれぞれに挿入されているので、図中上側に付勢されても、位置決めされた位置を越えてまで図中上側に移動させられることはない。このようにすることで、レンズ枠１０４を、光軸方向に微小な距離だけ自由に移動させることが可能になるとともに、適切な焦点位置に対応する光軸１４１方向の位置においてレンズ枠１０４を、確実に位置決めすることも可能となる。
【００４６】
また、レンズ枠１０４は、カム筒１０５の回動に伴って光軸１４１（図中上下）方向に所定の範囲だけ移動するが、弾性部材１１１は、レンズ枠１０４が光軸１４１方向のどの位置にあっても常にレンズ枠１０４を、図中上側に付勢し続ける。すなわち、弾性部材１１１の大きさ（図中上下方向の大きさ）は、レンズ枠１０４が台座１０６から最も離れた位置にあるときであっても、レンズ枠１０４を図中上側に付勢するのに充分な大きさとされる。
【００４７】
高画素数の画像を撮像することが可能な撮像装置１００においては、上述したように撮像光学系の光軸方向の位置決めに高い精度が求められる一方で、撮像素子１０７の受光面上に多数配置された光電変換素子が、それぞれ隣り合う光電変換素子同士の間隔（ピッチ）が非常に小さくなるように配置されることになるので第１レンズ１０１、および第２レンズ１０２を介して撮像素子１０７に入射する光軸１４１を中心とする光束上に異物が混入しないよう充分な対策が必要となる。例えば、肉眼では視認できないほど小さな塵が、撮像素子１０７と第２レンズ１０２との間の空間１３１に侵入しただけで被写体光束が遮られ、撮像される画像に影響を与えることになる。
【００４８】
さらに、微振動等が長時間かかる場合や、落下時の衝撃等で、レンズ枠１０４と台座１０６の固定部１０６ｄとの接触による磨耗、またはカム筒１０５の回動などの駆動に伴って、ピン１０４ａ乃至１０４ｃが当接する各面と接触することによる摩耗などの原因で、例えば、微小な金属片などの塵が発生した場合でも、撮像される画像に影響を与えないよう考慮する必要がある。
【００４９】
本発明の撮像装置１００においては、撮像光学系の位置決めを行うために弾性部材１１１が用いられる。上述したように、弾性部材１１１は、ゴム、スポンジ、モルトプレンなどの発砲ゴム、バネが挿入されたゴムなどで構成され、自身の図中上側の端面をレンズ枠１０４と当接させ、自身の図中下側の端面を台座１０６と当接されるように取り付けられるので、例えば、コイルばねなどを利用した場合と異なり、弾性部材１１１によりレンズ枠１０４と台座１０６との隙間が封止され、撮像素子１０７と第２レンズ１０２との間の空間１３１が密閉された状態となる。これにより、空間１３１に塵などが侵入することを抑止することができる。
【００５０】
また、弾性部材１１１がレンズ枠１０４と台座１０６との間に挿入され、レンズ枠１０４を図中上側に付勢しているので、より効果的な防塵対策を実現できる。例えば、図中上側からレンズ枠を付勢して位置決めすることも可能ではあるが、図中上側からレンズ枠を付勢する場合、レンズ枠１０４の図中下側の端面と台座１０６の図中上側の端面（面１０６ｅ）とが当接することになる。
【００５１】
このため、レンズ枠１０４と台座１０６とが接触することによる摩耗と、それに伴う金属片（塵）の発生する恐れがあり、このような場合、空間１３１に塵などが侵入してしまう。
【００５２】
これに対して、本発明の撮像装置１００は、空間１３１の内部で部品同士が接触することがないように構成されており、その結果、空間１３１に塵などが侵入することを確実に抑止することができる。
【００５３】
このように、本発明の撮像装置１００においては、撮像光学系の光軸方向の位置決めが高い精度で行われるとともに、極めて小さい塵等も含めて異物が、撮像光学系と撮像素子との間に侵入することがないよう防塵対策も施される。その結果、高画質で美しい画像を撮像することが可能となる。
【００５４】
なお、弾性部材の断面の形状は、図４に示したものに限られるものではなく、上述したように、レンズ枠１０４を付勢できるものであれば、別の形状とされてもよい。
【００５５】
図５は、弾性部材１１１に代えて弾性部材１１２を用いた場合の図４に対応する断面図である。この例では、断面が四角形の弾性部材１１２が用いられている。
【００５６】
図６は、弾性部材１１１に代えて弾性部材１１３を用いた場合の図４に対応する断面図である。この例では、断面が「コ」の字型の弾性部材１１３が用いられている。
【００５７】
図７は、弾性部材１１１に代えて弾性部材１１４を用いた場合の図４に対応する断面図である。この例では、断面が「Ｚ」の字型の弾性部材１１４が用いられている。
【００５８】
図５乃至図７の例の場合も、図４の場合と同様に、弾性部材１１２乃至１１４のそれぞれによりレンズ枠１０４と台座１０６との隙間が封止され、撮像素子１０７と第２レンズ１０２との間の空間１３１が密閉された状態となる。これにより、空間１３１に塵などが侵入することを抑止することができる。
【００５９】
あるいはまた、例えば、図８に示されるように、台座１０６とレンズ枠１０４の形状を変更し、図４乃至図７の場合とはさらに異なる弾性部材が用いられるようにすることも可能である。図８の例では、台座１０６とレンズ枠１０４が、台座１０６の内部のレンズ枠１０４の外周に位置する面１０６ｇと、レンズ枠１０４の外周の面１０４ｇにおいてほぼ等しい角度の傾斜が設けられた形状とされている。また、面１０６ｇと面１０４ｇに当接するように断面が円形の弾性部材１１５が挿入されている。
【００６０】
図８の例の場合、レンズ枠１０４が光軸１１４方向に移動する場合、弾性部材１１５が圧縮されるだけでなく、面１０６ｇと面１０４ｇの傾斜に沿って回転するように動くことになる。このようにすることで、例えば、弾性部材の弾力性が劣化することを抑止することができ、より確実に撮像光学系の光軸方向の位置決めを行うことが可能となる。
【００６１】
この他にも、例えば、弾性部材の材質やレンズ枠の重量など撮像装置の構成に応じて最適な形状で弾性部材を構成するようにしても構わない。
【００６２】
ところで、撮像装置の構成によっては、例えば、より自然な色合いの画像を撮像できるように赤外線フィルタなどのフィルタが撮像素子上に設けられることもある。図９は、フィルタが設けられた撮像装置における図４に対応する断面図である。同図においては、第２レンズ１０２と撮像素子１０７との間に、台座１０６に固定されたフィルタ１６１が設けられている。このような構成であっても本発明を適用することにより弾性部材１１４によりレンズ枠１０４と台座１０６との隙間が封止され、フィルタ１６１と第２レンズ１０２との間の空間１３２を密閉された状態とすることができ、空間１３２に塵などが侵入することを抑止することができる。
【００６３】
なお、ここでは、例として弾性部材１１４が示されているが、上述した他の弾性部材が用いられるようにすることも可能である。
【００６４】
また、上述したように、本発明を適用した撮像装置１００は、携帯可能な小型の電子機器に搭載されるようにすることができる。図１０ａと図１０ｂは、本発明の撮像装置１００を、携帯電話機２００に搭載する例を説明する図である。図１０ａは、携帯電話機２００を、正面（操作面）から見た図であり、図１０ｂは、携帯電話機２００を背面からみた図である。
【００６５】
携帯電話機２００は、例えば、折りたたみ可能となるように、中央にヒンジなどが設けられ、図１０ａに示されるように、ディスプレイなどの表示部２２１を有する上部２０１と、ボタンなどの操作部２２２を有する下部２０２により構成されている。
【００６６】
撮像装置１００が携帯電話機２００に搭載される場合、例えば、図１０ｂに示されるように、上部２０１の背面に第１レンズ１０１が露出するように設けられる。撮像装置１００は、携帯電話機２００の厚みと比較して充分小さい（薄い）大きさとされているので、撮像装置１００を搭載することにより、例えば、携帯電話機２００の外観のデザインの自由度などに制約が課せられるようなことはない。
【００６７】
このように、本発明の撮像装置１００を携帯電話機２００に搭載することにより、ユーザは、例えば、外出先などでも簡単に高画質の美しい画像を撮像することが可能となるとともに、撮像した画像を携帯電話機２００の通信機能などを利用して他の携帯電話機やパーソナルコンピュータなどに伝送することも可能となる。その結果、高画質の画像を有する情報を、より便利で安価に利用することが可能となる。
【図面の簡単な説明】
【００６８】
【図１】本発明を適用した撮像装置の一実施形態における外観の例を示す斜視図である。
【図２】図１の撮像装置の構成を示す図である。
【図３】図１の撮像装置を別の角度からみた図である。
【図４】図３の撮像装置の断面図である。
【図５】図３の撮像装置の断面図の別の例を示す図である。
【図６】図３の撮像装置の断面図のさらに別の例を示す図である。
【図７】図３の撮像装置の断面図のさらに別の例を示す図である。
【図８】図３の撮像装置の断面図のさらに別の例を示す図である。
【図９】図３の撮像装置の断面図のさらに別の例を示す図である。
【図１０】本発明の撮像装置が搭載された携帯電話機の例を示す図である。
【符号の説明】
【００６９】
１００  撮像装置，  １０１  第１レンズ，  １０２  第２レンズ，  １０４  レンズ枠，  １０５  カム筒，  １０６  台座，  １０７  撮像素子，  １１１乃至１１５  弾性部材，  １６１  フィルタ，  ２００  携帯電話機
【図１】
2007274542.tif 000003
【図２】
2007274542.tif 000004
【図３】
2007274542.tif 000005
【図４】
2007274542.tif 000006
【図５】
2007274542.tif 000007
【図６】
2007274542.tif 000008
【図７】
2007274542.tif 000009
【図８】
2007274542.tif 000010
【図９】
2007274542.tif 000011
【図１０】
2007274542.tif 000012